(57)【要約】【課題】複数の店舗、企業、サービス提供機関間で利用可能なポイント情報を一元化し、ポイント情報の利便性を向上させる。【解決手段】ポイント配信サーバ１は、ポイントデータをＩＤ管理する。参加企業サーバ２は、店舗で商品が購入された際に、購入者に商品価格に応じてポイントデータを配布する。ポイントデータは、ユーザが所持するＩＣカード７に書き込まれる。ユーザ端末５は、コンテンツ配信サーバ８が配信する各種コンテンツを利用・購入した場合、ポイントデータを、ＩＣカード７から読み出してコンテンツ配信サーバ８に支払う。上記ポイントデータは、新たな所有者に渡される際、復号化されずに、配布元で、公開鍵暗号化方式により生成された自身の秘密鍵で暗号化され、配布元を示す履歴情報が付加される。【選択図】　図１
2004038282.tif 000002
【特許請求の範囲】
【請求項１】
商品またはコンテンツを購入もしくは利用した利用者に対して、特典としてのポイント情報を発行するか、あるいは代金の一部または全部をポイント情報で回収する複数のサービス提供装置に対して、前記複数のサービス提供装置間で共通利用可能なポイント情報を配布する配布手段と、
前記配布手段により配布されるポイント情報を一元管理する管理手段と
を具備することを特徴とするポイント配信装置。
【請求項２】
前記配布手段によるポイント情報の配布に先立って、前記ポイント情報を公開暗号化方式に基づいて生成した自身の秘密鍵により暗号化する暗号化手段を具備することを特徴とする請求項１記載のポイント配信装置。
【請求項３】
複数の企業によって提供される商品または複数のコンテンツ提供者によって配信されるコンテンツを購入もしくは利用した利用者に対して、前記複数の企業および前記複数のコンテンツ配信者で共通利用可能なポイント情報を配布する配布手段と、
購入代金の一部または全部を前記ポイント情報で回収する回収手段と
を具備することを特徴とするサービス提供装置。
【請求項４】
前記配布手段によるポイント情報の配布に先立って、前記ポイント情報を公開暗号化方式に基づいて生成した自身の秘密鍵により暗号化する暗号化手段を具備することを特徴とする請求項３記載のサービス提供装置。
【請求項５】
複数のコンテンツ配信装置の各々から配信されるコンテンツを購入もしくは利用する情報処理装置であって、
前記コンテンツの購入もしくは利用に際して、前記複数のコンテンツ配信装置の各々との間で授受される、前記複数のコンテンツ配信装置で共通利用可能なポイント情報の、内部情報に対するセキュリティ機能を有するＩＣカードへの書き込み、あるいは読み出しを行なうデータ入出力手段を具備することを特徴とする情報処理装置。
【請求項６】
内部情報に対するセキュリティ機能を有するＩＣカードであって、
外部機器との間でデータの入出力を制御する入出力制御手段と、
複数の企業によって提供される商品または複数のコンテンツ提供者によって配信されるコンテンツの購入もしくは利用に際して授受される、前記複数の企業および前記複数のコンテンツ配信者で共通利用可能なポイント情報を記憶する記憶手段と、
前記記憶手段に記憶されているポイント情報を、前記入出力制御手段を介して出力する際、前記ポイント情報を公開暗号化方式に基づいて生成した自身の秘密鍵により暗号化する暗号化手段と
を具備することを特徴とするＩＣカード。
【請求項７】
複数の企業によって提供される商品または複数のコンテンツ提供者によって配信されるコンテンツを購入もしくは利用した利用者に対して、前記複数の企業および前記複数のコンテンツ配信者で共通利用可能なポイント情報を配布する一方、購入代金の一部または全部を前記ポイント情報で回収することを特徴とするポイント流通方法。
【請求項８】
前記ポイント情報は、配布される度に、公開暗号化方式に基づいて生成した、配布元の秘密鍵により暗号化されることを特徴とする請求項７記載のポイント流通方法。
【請求項９】
前記ポイント情報は、公開暗号化方式に基づいて生成した、配布元の秘密鍵により暗号化された後、配布元を明示する履歴情報が付加されることを特徴とする請求項８記載のポイント流通方法。
【請求項１０】
前記ポイント情報は、配布元の秘密鍵により暗号化された状態で、内部情報に対するセキュリティ機能を有するＩＣカードへ記録されることを特徴とする請求項８または９記載のポイント流通方法。
【発明の詳細な説明】
【０００１】
【発明の属する技術分野】
本発明は、ポイント配信装置、サービス提供装置、情報処理装置、ＩＣカードおよびポイント流通方法に関する。
【０００２】
【従来の技術】
従来より、店舗において商品を購入すると、商品価格に応じて、蓄積可能なポイントがユーザに発行され、次回以降の商品購入に際して、商品価格の全て、もしくは一部を、上記ポイントにより支払うことが可能となっている。ポイントは、磁気カードなどに記録されており、店舗に設置されたカードＲ／Ｗ（読み書き）を通すことで、ポイントの加算、減算、残高チェックなどが行なえるようになっている。
【０００３】
【発明が解決しようとする課題】
しかしながら、従来、ポイントは、そのポイントを発行した店舗（同一系列であれば他店舗でも可）でしか使用することができない。ゆえに、ユーザは、ポイントを有効利用しようとした場合、１つの店舗の利用に縛れることになるか、それぞれの店舗から発行される、異なるポイントカードを複数所有し、商品購入する店舗に応じて、ポイントカードを使い分けなければならないという問題があった。
【０００４】
この発明は上述した事情に鑑みてなされたもので、複数の店舗、企業、サービス提供機関間で利用可能なポイント情報を一元化し、ポイント情報の利便性を向上させることができるポイント配信装置、コンテンツ配信装置、商品販売装置、ユーザ端末、ポイント配信方法、コンテンツ配信方法、商品販売方法を提供することを目的とする。
【０００５】
【課題を解決するための手段】
上述した問題点を解決するために、請求項１記載の発明では、商品またはコンテンツを購入もしくは利用した利用者に対して、特典としてのポイント情報を発行するか、あるいは代金の一部または全部をポイント情報で回収する複数のサービス提供装置に対して、前記複数のサービス提供装置間で共通利用可能なポイント情報を配布する配布手段と、前記配布手段により配布されるポイント情報を一元管理する管理手段とを具備することを特徴とする。
【０００６】
また、請求項２記載の発明では、請求項１記載のポイント配信装置において、前記配布手段によるポイント情報の配布に先立って、前記ポイント情報を公開暗号化方式に基づいて生成した自身の秘密鍵により暗号化する暗号化手段を具備することを特徴とする。
【０００７】
また、上述した問題点を解決するために、請求項３記載の発明では、複数の企業によって提供される商品または複数のコンテンツ提供者によって配信されるコンテンツを購入もしくは利用した利用者に対して、前記複数の企業および前記複数のコンテンツ配信者で共通利用可能なポイント情報を配布する配布手段と、購入代金の一部または全部を前記ポイント情報で回収する回収手段とを具備することを特徴とする。
【０００８】
また、請求項４記載の発明では、請求項３記載のサービス提供装置において、前記配布手段によるポイント情報の配布に先立って、前記ポイント情報を公開暗号化方式に基づいて生成した自身の秘密鍵により暗号化する暗号化手段を具備することを特徴とする。
【０００９】
また、上述した問題点を解決するために、請求項５記載の発明では、複数のコンテンツ配信装置の各々から配信されるコンテンツを購入もしくは利用する情報処理装置であって、前記コンテンツの購入もしくは利用に際して、前記複数のコンテンツ配信装置の各々との間で授受される、前記複数のコンテンツ配信装置で共通利用可能なポイント情報の、内部情報に対するセキュリティ機能を有するＩＣカードへの書き込み、あるいは読み出しを行なうデータ入出力手段を具備することを特徴とする。
【００１０】
また、上述した問題点を解決するために、請求項６記載の発明では、内部情報に対するセキュリティ機能を有するＩＣカードであって、外部機器との間でデータの入出力を制御する入出力制御手段と、複数の企業によって提供される商品または複数のコンテンツ提供者によって配信されるコンテンツの購入もしくは利用に際して授受される、前記複数の企業および前記複数のコンテンツ配信者で共通利用可能なポイント情報を記憶する記憶手段と、前記記憶手段に記憶されているポイント情報を、前記入出力制御手段を介して出力する際、前記ポイント情報を公開暗号化方式に基づいて生成した自身の秘密鍵により暗号化する暗号化手段とを具備することを特徴とする。
【００１１】
また、上述した問題点を解決するために、請求項７記載の発明では、複数の企業によって提供される商品または複数のコンテンツ提供者によって配信されるコンテンツを購入もしくは利用した利用者に対して、前記複数の企業および前記複数のコンテンツ配信者で共通利用可能なポイント情報を配布する一方、購入代金の一部または全部を前記ポイント情報で回収することを特徴とする。
【００１２】
また、請求項８記載の発明では、請求項７記載のポイント流通方法において、前記ポイント情報は、配布される度に、公開暗号化方式に基づいて生成した、配布元の秘密鍵により暗号化されることを特徴とする。
【００１３】
また、請求項９記載の発明では、請求項８記載のポイント流通方法において、前記ポイント情報は、公開暗号化方式に基づいて生成した、配布元の秘密鍵により暗号化された後、配布元を明示する履歴情報が付加されることを特徴とする。
【００１４】
また、請求項１０記載の発明では、請求項８または９記載のポイント流通方法において、前記ポイント情報は、配布元の秘密鍵により暗号化された状態で、内部情報に対するセキュリティ機能を有するＩＣカードへ記録されることを特徴とする。
【００１５】
【発明の実施の形態】
以下、図面を用いて本発明の実施の形態を説明する。
Ａ．実施形態の構成
図１は、本発明の実施形態によるポイントシステムの構成を示すブロック図である。図１において、ポイント配信サーバ１は、後述する参加企業サーバ２、コンテンツ配信サーバ８、ユーザ端末５間で授受されるポイントデータをＩＤ管理する。また、ポイント配信サーバ１は、参加企業サーバ２にポイントデータを発行（販売）する一方、参加企業からポイント利用に対するライセンスフィーを徴収する。ポイント配信サーバ１は、コンテンツ配信サーバにポイントデータを発行（販売）する一方、ポイントデータを回収（購入：換金）するとともに、コンテンツ配信者へ手数料を支払う。
【００１６】
参加企業サーバ２は、当該サービスに参加する各種企業のサーバであり、店舗で商品が購入された際に、購入者に商品価格に応じてポイントデータを配布する。店舗には、サーバ２に接続された端末３とＩＣカードリードライタ（Ｒ／Ｗ）４が設置されており、これら端末３とＩＣカードリードライタ（Ｒ／Ｗ）４を用いて、後述するユーザが所持するＩＣカードにポイントデータを書き込む。なお、図示の例では、１つの参加企業、端末、ＩＣカードリードライタ（Ｒ／Ｗ）しか示されていないが、複数存在してもよい。
【００１７】
ユーザ端末５は、ユーザに利用されるパーソナルコンピュータなどの情報処理端末であり、ＩＣカードリードライタ（Ｒ／Ｗ）６を備えている。ＩＣカード７は、クレジットカードなど、オープンプラットフォームのＩＣカード、あるいは必要な機能をＲＯＭに入力済みのＩＣカードとしてユーザに配布される。
【００１８】
ユーザ端末５は、インターネット１１を介して、後述するコンテンツ配信サーバ８へアクセスし、該コンテンツ配信サーバ８が配信する各種コンテンツを利用（購入を含む）する機能を備えている。ユーザ端末５は、有料コンテンツをダウンロードする場合には、コンテンツの価格（ポイント）に対するポイントデータを、コンテンツ配信サーバ８に供給（支払い）する。また、ユーザ端末５は、コンテンツによっては、コンテンツ配信サーバ８からポイントを受領する場合もある。
【００１９】
また、ユーザ端末５は、他のユーザ端末との間でポイントデータを授受することも可能になっている。ポイントデータの授受は、ユーザ端末５に接続されたＩＣカードリードライタ６に装着されたＩＣカード７に対して行なわれる。
【００２０】
また、ユーザは、コンテンツ配信者による店舗やイベント会場において、コンテンツ配信者により提供されるコンテンツを利用する場合がある。この場合、イベント会場では、コンテンツ配信サーバ８に接続された端末９、ＩＣカードリードライタ（Ｒ／Ｗ）１０を用いて、ポイントデータの授受を行なう。
【００２１】
ＩＣカード７は、現在のポイントの暗号管理と保管、ＩＤ管理、チェックデジット計算、暗号化・復号化、本人証明、コンテンツ・アプリケーションのダウンロード機能などを備えている。ＩＣカード７は、インターネット１１や常設端末、イベント会場などでコンテンツやゲームと連携し、ポイントの残高情報を変更することが可能である。ＩＣカード７は、ポイントの残高情報を変更する場合、必ず事前に、コンテンツや端末の認証を行なう。
【００２２】
コンテンツ配信サーバ８は、インターネット１１を介して、ポイントにより支払い可能な有料、あるいは無料の各種コンテンツを配信し、コンテンツのダウンロードに対してユーザ端末からポイントデータを受け取る。また、コンテンツ配信サーバ８は、ユーザがコンテンツに参加した結果生じるポイントの増減を管理し、ポイント配信サーバ１との間でポイントデータの売買を行なう。なお、図示の例では、１つのコンテンツ配信サーバ、端末、ＩＣカードリードライタ（Ｒ／Ｗ）しか示されていないが、複数存在してもよい。
【００２３】
コンテンツとしては、ゲーム性のあるコンテンツや、情報コンテンツ、アプリケーションなどがある。これらコンテンツは、単に、ポイントの支払いにより配信されるものや、ゲーム性のものでは、所定の条件で、ポイントをユーザに還元するものがある。
【００２４】
ここで、ポイント配信サーバ１、参加企業サーバ２、ユーザ端末５およびコンテンツ配信サーバ８間で授受されるポイントデータについて説明する。図２は、本実施形態によるポイントデータの構成を示す概念図である。ポイントデータは、図２（ａ）に示すように、基本的に、ポイントＩＤ、残高情報、チェックデジット、属性情報、履歴情報からなる。ポイントＩＤは、ポイント数を示す情報である。ポイント数は、例えば、１ポイント、５ポイント、１０ポイント、５０ポイント、１００ポイント、５００ポイント、１０００ポイント、…というように、所定の単位でブロック化されている。ポイントは、例えば、１ポイントをポイントＩＤ１で示し、５ポイントをポイントＩＤ２、１０ポイントをポイントＩＤ３、…、というようにポイントＩＤで一意に示される。
【００２５】
ポイント配信サーバ１、参加企業サーバ２、ユーザ端末５、コンテンツ配信サーバ８間では、上記ポイント単位で授受される。例えば、ユーザ端末５がコンテンツ配信サーバ８から３００ポイントのコンテンツをダウンロードする場合、ＩＣカードに、４つの５０ポイントのポイントデータ、２つの１００ポイントのポイントデータがあった場合、２つの１００ポイントのポイントデータと、２つの５０ポイントデータとがコンテンツ配信サーバ８へ配布（支払い）されることになる。
【００２６】
チェックデジットは、データの正誤性を確認するためのデータである。履歴情報は、該ポイントデータがどのような経路で渡ってきたかを示す情報であり、ポイントデータを配信した者を一意に特定する情報からなる。該履歴情報は、ポイントデータが配布される度に、配信元あるいは配信先で付加される。また、属性情報は、参加企業を識別する情報であり、参加企業を介してユーザ端末に配信された場合に付加される。
【００２７】
本実施形態では、ポイント配信サーバ１、参加企業サーバ２、ユーザ端末５、コンテンツ配信サーバ８間で授受されるポイントデータの、受け手の偽造防止、受け手の改竄防止、送り手の否認の防止、通信途中での改竄防止のため、公開鍵暗号化方式によるデジタル署名を用いている。ポイントデータは、ポイント配信サーバ１、参加企業サーバ２、ユーザ端末５、コンテンツ配信サーバ８間で配布される度に、ポイントデータのうち、ポイントＩＤ、残高情報、チェックデジット、属性情報が配信元の秘密鍵により暗号化された後、履歴情報（送信元を特定する情報）が付加されて配布される。公開鍵は、インターネット１１の所定のサーバ上で公開される。
【００２８】
ポイント配信サーバ１からは、図２（ｂ）に示すように、ポイントＩＤ、残高情報、チェックデジットが、ポイント配信者の秘密鍵により暗号化され、ポイント配信サーバ１を示す履歴情報が付加され、参加企業サーバ２へ配布される。また、参加企業サーバ２からは、図２（ｃ）に示すように、上記ポイント配信者の秘密鍵により暗号化されたデータ＋履歴情報に属性情報が付加され、さらに、参加企業の秘密鍵により暗号化された後、参加企業サーバ２を示す履歴情報が付加され、ユーザ端末５に配布される。また、ユーザ端末からは、図２（ｄ）に示すように、上記参加企業の秘密鍵で暗号化されたデータ＋履歴情報が、ユーザの秘密鍵により暗号化され、ユーザ端末５を示す履歴情報が付加され、コンテンツ配信サーバ８へ配布される。
【００２９】
受け手は、履歴情報により送信元を識別し、送信元の公開鍵を取得し、該公開鍵により暗号化された情報を復号化するようになっている。
【００３０】
また、ポイント配信サーバ１は、後述する参加企業サーバ２、ユーザ端末５、コンテンツ配信サーバ８からの要求に応じ、低額ポイントと高額ポイントとを「両替」する。例えば、１ポイントのポイントデータが１０個になった場合などに、これを１０ポイントのポイントデータ１個と交換することが可能となっている。
【００３１】
また、参加企業サーバ２、ユーザ端末５、コンテンツ配信サーバは８、ポイントや履歴情報を元に、データの正当性をポイント配信サーバ１に問い合わせることが可能となっている。ポイント配信サーバ１は、上記問い合わせに対して、履歴情報を元に、暗号化されたポイント情報を復号化し、ＩＤ照会やチェックデジット確認によってデータの正当性を評価して、結果を通知する。
【００３２】
Ｂ．実施形態の動作
次に、本実施形態の動作について詳細に説明する。ここで、図３は、本実施形態の動作を説明するための概念図である。ポイント配信サーバ１は、ポイントデータを、ポイント配信サーバ１の秘密鍵により暗号化し、履歴情報（送信元であるポイント配信サーバを示す情報）を付加して参加企業サーバ２に配布する（Ｓ１）。
【００３３】
ユーザが、ＩＣカード７を持参して、参加企業の店舗に出向いて商品を購入する場合（Ｓ２）、商品の購入価格に応じたポイントが配布される（Ｓ３）。参加企業サーバ２では、ポイントデータに属性情報（当該参加企業サーバを示す情報）を付加した後、参加企業サーバ２の秘密鍵で暗号化し、履歴情報（送信元である参加企業サーバを示す情報）を付加して、店舗の端末３とＩＣカードリードライタ４を用いて、ＩＣカード７にポイントデータを記録する。
【００３４】
また、ユーザ端末５は、例えば、コンテンツ配信サーバ８にアクセスし、ポイントを使用あるいは無料でコンテンツをダウンロードする（Ｓ４）。このとき、コンテンツが有料であった場合には、ＩＣカード７内で、該コンテンツに設定されたポイント分のポイントデータ（送信元の秘密鍵により暗号化されたまま）を、ユーザ端末５の秘密鍵により暗号化し、履歴情報（送信元であるユーザ端末を示す情報）を付加して、ユーザ端末５を介してコンテンツ配信サーバ８に配布する（Ｓ５）。
【００３５】
また、コンテンツが、参加企業が販売するゲームソフトウェアの販売促進用のミニゲームなどであった場合には、該ミニゲームをクリアした場合、ユーザに対してポイントを与えるような状況も考え得る。この場合、ゲームをクリアした時点で、コンテンツ配信サーバ８では、コンテンツ配信サーバ８の秘密鍵で暗号化し、履歴情報（送信元であるコンテンツ配信サーバを示す情報）を付加してユーザ端末５に配布する（Ｓ６）。
【００３６】
また、コンテンツが、ギャンブル性を有するコンテンツであった場合には、コンテンツ配信サーバ８とユーザ端末５との間で、ポイントデータが授受されることになる。この場合も、ポイントデータは、上記同様、送信元の秘密鍵で暗号化され、履歴情報が付加されて受け手に配布される。
【００３７】
また、ユーザは、ＩＣカード７を持参して、コンテンツ配信者が開催するイベント会場に出向き、その場でコンテンツを購入してもよい（Ｓ７）。この場合、イベント会場の端末９とＩＣカードリードライタ１０を用いて、サーバとＩＣカード７との間で、ポイントデータの授受を行なう。
【００３８】
また、ユーザ端末間においても、双方合意によるゲームの勝敗などにより、ポイントデータが交換される（Ｓ８）。この場合も、ポイントコードは、復号化されずに、そのまま送信元の秘密鍵で暗号化され、送信元を示す履歴情報が付与されて配布される。
【００３９】
また、コンテンツ配信サーバ８は、ユーザがコンテンツに参加した結果生じるポイントの増減を管理し、ポイント配信サーバ１との間でポイントデータの売買を行なう（Ｓ９）。また、ポイント配信サーバ１は、コンテンツ配信サーバ８を運用するコンテンツ配信者に対して手数料を支払う（Ｓ１０）。さらに、参加企業サーバ２を運用する参加企業は、ポイント配信サーバ１を運用するポイント配信者にライセンスフィーを支払うとともに（Ｓ１１）、コンテンツ配信サーバ８を運用するコンテンツ配信者に対して広告料を支払う（Ｓ１２）。
【００４０】
上述した実施形態によれば、共通のポイントで、複数の企業、複数のコンテンツ配信者から、商品やコンテンツを購買可能となり、ポイントの利用範囲が広がるので、ユーザのポイント取得、ポイント利用の促進を図ることができる。ゆえに、ポイント配信者はライセンスフィーやポイント販売売上増、参加企業は商品売上増、コンテンツ配信者はコンテンツ販売売上増等の利点が得られる。ユーザは、当該ポイントにより１つの企業の利用に縛れることなく、多種多様なサービスを享受できる。
【００４１】
また、ポイントデータは、持ち主が変わる度に、ＩＤ＋残高情報＋チェックデジット＋（直前の履歴情報）を復号化せずに、そのまま新たな所持者の秘密鍵で暗号化され、履歴情報が付与されて配布される。ゆえに、履歴情報を含めたポイントデータは、改竄されることなく、セキュリティが確保された状態で、ポイント配信サーバ１、参加企業サーバ２、ユーザ端末５、コンテンツ配信サーバ８間で授受されることになる。
【００４２】
また、ポイントデータは、低額ポイントから高額ポイントに「両替」されることで、ＩＣカード内の運用を効率化することができる。このとき、ポイントデータ内の履歴情報は、新たに付与され、必要があれば、旧履歴情報は圧縮して付与される。
【００４３】
【発明の効果】
請求項１記載の発明によれば、管理手段により、ポイント情報を一元管理し、配布手段により、商品またはコンテンツを購入もしくは利用した利用者に対して、特典としてのポイント情報を発行するか、あるいは代金の一部または全部をポイント情報で回収する複数のサービス提供装置に対して、前記複数のサービス提供装置間で共通利用可能なポイント情報を配布するようにしたので、複数の店舗、企業、サービス提供機関間で利用可能なポイント情報を一元化し、ポイント情報の利便性を向上させることができるという利点が得られる。
【００４４】
また、請求項２記載の発明によれば、前記配布手段によるポイント情報の配布に先立って、暗号化手段により、前記ポイント情報を公開暗号化方式に基づいて生成した自身の秘密鍵により暗号化するようにしたので、複数の店舗、企業、サービス提供機関間で利用可能なポイント情報を一元化し、ポイント情報の利便性を向上させることができるとともに、ポイント情報に関して、受け手の偽造防止、受け手の改竄防止、送り手の否認の防止、通信途中での改竄防止を図ることができるという利点が得られる。
【００４５】
また、請求項３記載の発明によれば、複数の企業によって提供される商品または複数のコンテンツ提供者によって配信されるコンテンツを購入もしくは利用した利用者に対して、配布手段により、前記複数の企業および前記複数のコンテンツ配信者で共通利用可能なポイント情報を配布する一方、回収手段により、購入代金の一部または全部を前記ポイント情報で回収するようにしたので、複数のサービス提供機関間で利用可能なポイント情報を一元化し、ポイント情報の利便性を向上させることができるという利点が得られる。
【００４６】
また、請求項４記載の発明によれば、前記配布手段によるポイント情報の配布に先立って、暗号化手段により、前記ポイント情報を公開暗号化方式に基づいて生成した自身の秘密鍵により暗号化するようにしたので、複数の店舗、企業、サービス提供機関間で利用可能なポイント情報を一元化し、ポイント情報の利便性を向上させることができるとともに、ポイント情報に関して、受け手の偽造防止、受け手の改竄防止、送り手の否認の防止、通信途中での改竄防止を図ることができるという利点が得られる。
【００４７】
また、請求項５記載の発明によれば、コンテンツの購入もしくは利用に際して、前記複数のコンテンツ配信装置の各々との間で授受される、前記複数のコンテンツ配信装置で共通利用可能なポイント情報を、データ入出力手段を介して、内部情報に対するセキュリティ機能を有するＩＣカードへ書き込んだり、読み出したりするようにしたので、複数の店舗、企業、サービス提供機関間で利用可能なポイント情報を一元化し、ポイント情報の利便性を向上させることができるとともに、ポイント情報のセキュリティ性を向上させることができるという利点が得られる。
【００４８】
また、請求項６記載の発明によれば、複数の企業によって提供される商品または複数のコンテンツ提供者によって配信されるコンテンツの購入もしくは利用に際して授受される、前記複数の企業および前記複数のコンテンツ配信者で共通利用可能なポイント情報を、入出力制御手段を介して、内部情報に対するセキュリティ機能を有するＩＣカード内の記憶手段に記憶し、前記記憶手段に記憶されているポイント情報を、前記入出力制御手段を介して出力する際、暗号化手段により、前記ポイント情報を公開暗号化方式に基づいて生成した自身の秘密鍵により暗号化するようにしたので、複数の店舗、企業、サービス提供機関間で利用可能なポイント情報を一元化し、ポイント情報の利便性を向上させることができるとともに、ポイント情報のセキュリティ性を向上させることができるという利点が得られる。
【００４９】
また、請求項７記載の発明によれば、複数の企業によって提供される商品または複数のコンテンツ提供者によって配信されるコンテンツを購入もしくは利用した利用者に対して、前記複数の企業および前記複数のコンテンツ配信者で共通利用可能なポイント情報を配布する一方、購入代金の一部または全部を前記ポイント情報で回収するようにしたので、複数の店舗、企業、サービス提供機関間で利用可能なポイント情報を一元化し、ポイント情報の利便性を向上させることができるという利点が得られる。
【００５０】
また、請求項８記載の発明によれば、前記ポイント情報を、配布される度に、公開暗号化方式に基づいて生成した、配布元の秘密鍵により暗号化するようにしたので、複数の店舗、企業、サービス提供機関間で利用可能なポイント情報を一元化し、ポイント情報の利便性を向上させることができるとともに、ポイント情報のセキュリティ性を向上させることができるという利点が得られる。
【００５１】
また、請求項９記載の発明によれば、前記ポイント情報を、公開暗号化方式に基づいて生成した、配布元の秘密鍵により暗号化した後、配布元を明示する履歴情報を付加するようにしたので、複数の店舗、企業、サービス提供機関間で利用可能なポイント情報を一元化し、ポイント情報の利便性を向上させることができるとともに、ポイント情報の流通経路を探索可能とし、流通途中での不正を容易に発見することができるという利点が得られる。
【００５２】
また、請求項１０記載の発明によれば、前記ポイント情報を、配布元の秘密鍵により暗号化した状態で、内部情報に対するセキュリティ機能を有するＩＣカードへ記録するようにしたので、複数の店舗、企業、サービス提供機関間で利用可能なポイント情報を一元化し、ポイント情報の利便性を向上させることができるとともに、ポイント情報のセキュリティ性を向上させることができるという利点が得られる。
【図面の簡単な説明】
【図１】本発明の実施形態によるポイントシステムの構成を示すブロック図である。
【図２】本実施形態によるポイントデータの構成を示す概念図である。
【図３】本実施形態の動作を説明するための概念図である。
【符号の説明】
１　ポイント配信サーバ（配布手段、管理手段、ポイント配信装置、暗号化手段）
２　参加企業サーバ（サービス提供装置、配布手段、回収手段、暗号化手段）
３　端末
４　ＩＣカードリードライタ
５　ユーザ端末（情報処理装置）
６　ＩＣカードリードライタ（データ入出力手段、記憶手段、暗号化手段）
７　ＩＣカード（入出力制御手段、）
８　コンテンツ配信サーバ（サービス提供装置、配布手段、回収手段、暗号化手段）
９　端末
１０　ＩＣカードリードライタ
１１　インターネット
【図１】
2004038282.tif 000003
【図２】
2004038282.tif 000004
【図３】
2004038282.tif 000005